(57)【要約】【課題】  石膏ボード両面貼りの壁パネルに、既設の壁パネル同士の継ぎ目ではく、一枚の壁パネルの幅内に、直角に他方の壁パネルを固定できるようにした壁パネルの取付構造を提供する。【解決手段】  縦枠材と横枠材とを固着されてなる枠体の両面に石膏ボードを貼着して形成した壁パネルに直交させて他の壁パネルを固定して間仕切りする間仕切り壁パネルの取付構造であって、既存の前記壁パネルの片面又は両面の外面に、該壁パネルの上下部の横枠材に架け渡されて縦補助材が固定され、該縦補助材に前記他の壁パネルが固定されてなる。【選択図】  図１
2006265975.tif 000002
【特許請求の範囲】
【請求項１】
縦枠材と横枠材とが固着されてなる枠体の両面に石膏ボードが貼着されて形成された壁パネルに直交して他の壁パネルを固定して間仕切りする間仕切り壁パネルの取付構造であって、既存の前記壁パネルの片面又は両面の外面に、該壁パネルの上下部の横枠材に架け渡されて縦補助材が固定され、該縦補助材に前記他の壁パネルが固定されてなることを特徴とする間仕切り壁パネルの取付構造。
【請求項２】
前記縦補助材が既存の前記壁パネルの片面又は両面の外面に、該壁パネルの上下部の横枠材に架け渡されて該横枠材にアンカーボルトにより固定されるか又は上下部材の前記横枠材にはビスで固定されると共に上下部の横枠材間においてはアンカーボルトで石膏ボードに固定されてなることを特徴とする請求項1記載の間仕切り壁パネルの取付構造。
【請求項３】
前記上下部の横枠材の間で該横枠材に平行に架け渡されて前記縦枠材に固定されて下地が設けられ、該下地及び前記横枠材に前記縦補助材が固定され、該縦補助材に他の壁パネルが固定されてなることを特徴とする請求項1又は２記載の間仕切り壁パネルの取付構造。
【発明の詳細な説明】
【技術分野】
【０００１】
本発明は、間仕切り壁パネルの取付構造に関し、より詳細には、既設の間仕切りを変更する等の場合で、壁パネルの中央部で他の壁パネルを連結する場合の間仕切り壁パネルの取付構造に関する。
【背景技術】
【０００２】
従来、間仕切りパネルのコーナー部等で他の壁パネルを連結する取付構造が提案されている（例えば、特許文献１）。しかし、既設の壁パネルに、その中央部で他の壁パネルを直角に固定するためには、既設の壁パネルとしては片面石膏ボード貼りのパネルにする必要があった。例えば、図４に示すように、既設の壁パネル（勝ち壁）５１を固定し、この壁パネルの石膏ボード５２を貼っていない面より、縦補助材(下地)５５を壁パネルの上下部の横枠材間５４に架設する。そして、他方の壁パネル（負け壁）５１aを既設の壁パネル５１の石膏ボード５２を貼っている面に、直角に、縦補助材５５の設置されている位置に固定して取り付けて構成していた。
【０００３】
または、図５に示すように、既設の壁パネル５１同士の継ぎ目で、他方の壁パネル５１aが直角に固定されていた。このように、既設壁パネル５１に直角に設置する他方の壁パネルの位置に、既設の壁パネル５１同士の継ぎ目が来るように、壁パネルの割付をし、壁パネルの加工を行い、既設の壁パネル５１同士の縦枠材５３と他方の壁パネル５１aの縦枠５３aをビス５６で固定していた。このようにすると、既設の壁パネル５１は石膏ボード両面貼りが可能となった。
【特許文献１】特開平７−３４５７０号公報
【発明の開示】
【発明が解決しようとする課題】
【０００４】
上記従来の壁パネルの取付構造のうち、前者の片面石膏ボード貼りのパネルを用いて構成した構造においては、特別な壁パネルが必要であり、設計が複雑化するうえ、施工時の石膏ボード貼り等の現場作業が多くなるという問題があった。
【０００５】
また、後者の既設の壁パネル同士の継ぎ目がくるようにする壁パネルの取付構造は、継ぎ目を取付パネルの位置にくるように設計しなければならず、設計（割付）が複雑化するうえ、両面化率が悪くなるという問題があった。
【０００６】
本発明は、上記の課題を解決するためになされたもので、石膏ボード両面貼りの壁パネルに、既設の壁パネル同士の継ぎ目ではく、一枚の壁パネルの幅内に、直角に他方の壁パネルを固定できるようにした壁パネルの取付構造を提供することを目的とする。
【課題を解決するための手段】
【０００７】
上記の目的を達成するために、請求項１に係る発明の壁パネルの取付構造は、縦枠材と横枠材とが固着されてなる枠体の両面に石膏ボードが貼着されて形成された壁パネルに直交して他の壁パネルを固定して間仕切りする間仕切り壁パネルの取付構造であって、既存の前記壁パネルの片面又は両面の外面に、該壁パネルの上下部の横枠材に架け渡されて縦補助材が固定され、該縦補助材に前記他の壁パネルが固定されてなることを特徴とする。
【０００８】
また、請求項２記載の発明に係る壁パネルの取付構造は、請求項１記載の発明の構成において、前記縦補助材が既存の前記壁パネルの片面又は両面の外面に、該壁パネルの上下部の横枠材に架け渡されて該横枠材にアンカーボルトにより固定されるか又は上下部材の前記横枠材にはビスで固定されると共に上下部の横枠材間においてはアンカーボルトで石膏ボードに固定されてなることを特徴とする。
【０００９】
また、請求項３記載の発明に係る壁パネルの取付構造は、請求項１記載の発明の構成において、前記上下部の横枠材の間で該横枠材に平行に架け渡されて前記縦枠材に固定されて下地が設けられ、該下地及び前記横枠材に前記縦補助材が固定され、該縦補助材に他の壁パネルが固定されてなることを特徴とする。
【発明の効果】
【００１０】
請求項１記載の発明によれば、壁パネルの片面又は両面の外面に、壁パネルの上下部の横枠材に縦補助材を固定し、該縦補助材に前記他方の壁パネルを固定するので、両面石膏ボード貼りの壁パネルに、壁パネル同士の継ぎ目ではく、一枚の壁パネルの幅内に、直角に他方の壁パネルを固定できる。そのため、両面石膏ボード貼りの壁パネルを使用することができ、設計の簡便化を実現することができ、さらに壁パネルの両面化率の向上を図ることができる。
【００１１】
請求項２記載の発明によれば、請求項１の発明の効果に加えて、縦補助材の既設の壁パネルへの固定が強固になり、直角に取り付ける他方の壁パネルも強固に固定できる。
【００１２】
また、このような壁パネルの取付構造によれば、両面石膏ボード貼りの壁パネルを使用できるから、住戸内に使用する従来の両面石膏ボード貼りの壁パネルの使用率を向上させることができ、間仕切り壁パネルの反りの現象が無くなる。また、設備固定用の下地の工場加工率が向上できる。また、電気器具の取付穴の工場加工率が向上できる。さらに、壁パネルは通常のものを使用し、勝ち壁(既設壁パネル)に縦補助材(下地)が無いので、壁パネル接合部のＴ字部での電気器具取り付けがどこでも容易にできるようになる。
【００１３】
請求項３記載の発明によれば、請求項１の発明の効果に加えて、縦補助材の既設の壁パネルへの固定が強固になり、直角に取り付ける他方の壁パネルも強固に固定できる。また、リフォーム等を考慮してある壁パネルに設けてある下地をそのまま間仕切りパネルの取付に利用することができる。さらに、上下横枠材にはビスで固定することにより、勝ち壁(既存壁パネル)パネルにたいして、直角に取りける負け壁(他方)パネルを後付け出来、堅固に固定することができる。
【発明を実施するための最良の形態】
【００１４】
壁パネルの片面の外面又は両面の外面に、壁パネルの上下部の横枠材間に縦補助材を設け、他方の壁パネルの連結部とし、両面貼りの壁パネルの巾内で他の壁パネルを強固に固定できる間仕切り壁の取付構造とした。
【００１５】
以下、本発明の一実施形態を図面に基づいて詳細に説明する。
（実施例１）
図１は本発明の一実施例の間仕切り壁パネルの取付構造を示す一部省略した斜視図、図２は間仕切り壁パネルの取付構造の他の例を示す一部省略した斜視図である。図１に示すように、壁パネルの取付構造は、壁パネル１の外面に縦補助材１０を固定し、この縦補助材１０に他の壁パネル１ａを取り付けるＴ字部構成の取付構造である。壁パネル１及び壁パネル１ａは同一の構成をなし、床から天井に達して設置されている構造である。
【００１６】
壁パネル１は枠体２の両面に石膏ボード３が貼り付けられて構成され、枠体２は縦枠材４と横枠材５で構成されている。枠体２は、縦枠材４と横枠材５が固着されて全体が矩形状に形成され、壁パネル１の寸法が大きくなると、図示していない桟が縦枠材４と横枠材５に平行に枠の中間部に固定される。縦枠材４と横枠材５とは、この実施例では矩形状の木質材が使われており、それぞれ固着されて全体として矩形状にされている。そして、枠体２の両面に石膏ボードが貼り付けられて板状の壁パネル１が形成される。さらに、他の壁パネル１ａ（負け壁）が取り付けられる壁パネル１（勝ち壁）に縦補助材１０が固定される。
【００１７】
縦補助材１０は、枠体と同一材料である木材が使われ、寸法も両面に石膏ボードを貼ったとき、壁パネル１ａの厚みと同じになるようにされている。即ち、縦補助材１０は、木製角材１１の対向する一対の面に石膏ボード１２，１２が貼り付けられ、この両面間の寸法が壁パネル１ａの厚みと同じになるようになされている。そして、縦補助材１０は石膏ボード１２の面が壁パネル１と直交するように配置され、壁パネル１の石膏ボード３面に当接され、ビス１３により上下部の横枠材５に固定される。このように枠材と同じ木材を用いて縦補助材を構成することにより、間仕切り壁パネルの反りの現象をなくすことができる。
【００１８】
縦補助材１０の壁パネル１への固定は、横枠材５に対向する部分においては、この縦補助材１０を挿通してビス１３を横枠材５に打ち込んで固着する。横枠材に対向していない縦補助材１０の部分の壁パネル１０への固定にはアンカーボルト１４を使用する。アンカーボルト１４は、図３に示すように、ボルト先端にねじ部１７が設けられ、ねじ部１７に螺合された拡縮部１８がねじ部１７の回転で前後退することにより拡縮するようになっている。そして、各縮部１８を石膏ボード３に密着させて拡縮部１８を拡大し、石膏ボード３と縦補助材１０を挟み付けて石膏ボード３に縦補助材１０を補助固定する。
【００１９】
縦補助材１０を取り付けた壁パネル１を床７に設けられたライナー８の位置で立て、位置合わせをし、壁パネル１に直角に他の壁パネル１ａを配置し、縦補助材１０に他の壁パネル１ａの縦枠材４を対向させて配置し、ビス１５を縦枠材４を挿通して縦補助材１０に打ち込み、壁パネル１と壁パネル１ａとを連結する。これにより、既存の壁パネル１の巾内で、これにＴ字形状に壁パネル１ａが連結して固定されて室内が間仕切りされる。なお上記実施例において、縦補助材を木材の例で説明したが、木質系の合板でもよいし、木材とプラスチック等のように木材と他の材質のものを組み合わせて形成したものでもよい。
（実施例２）
図２は本発明の第２の実施例の間仕切り壁パネルの取付構造を示す一部省略した斜視図である。この実施例において、上記実施例と同一作用のものについては上記実施例のものと同一の符号を付して詳細な説明を省略する。
【００２０】
図２に示すように、壁パネルの取付構造は、壁パネル２１の内部に下地２２を設置し、この下地２２でも縦補助材１０を固定し、この縦補助材１０に他の壁パネル１ａを取り付けるＴ字部構成の取付構造である。壁パネル２１と他の壁パネル（図示していない）は、下地２２の有無を除いては、同一の構成をなし、縦枠材４と横枠材５で矩形に形成された枠体２の両面に石膏ボード３が貼り付けられて構成されている。壁パネル２１に縦補助材１０を介して他の壁パネルがＴ字形に連結され、床面から天井に達して設置される。
【００２１】
壁パネル２１に設けられた下地（桟、補強材）２２は、縦枠材４や横枠材５と同質の木質から構成され、上下部の横枠材５、５の間の中間部で横枠材５に平行に縦枠材４に当接し、端部で縦枠材４に固定されている。なお、下地２２は既存の壁パネルに設けられているものを用いるような構成としてもよい。下地２２の縦枠材４への固定方法は、ビス等の部材で固着するだけでなく、従来から知られている嵌め込みや接着により行ってもよい。
【００２２】
壁パネル２１への縦補助材１０の固定は、壁パネル２１の所定の巾方向中間部で縦補助材１０を横枠材５にビス１３で固着し、横枠材４に対向していない部分では縦補助材１０の部分ではアンカーボルト１４により補助固着することにより行う。この壁パネル２１の下地２２に対向する部分ではアンカーボルト１４の代わりにビス１６を用いてもよい。このように下地２２にも縦補助材１０を固着すると、固定が一層強固にできる。
【００２３】
壁パネル２１の縦補助材１０に他の壁パネルを連結して壁パネル２１にＴ字形に壁パネルを固定する。縦補助材１０に他の壁パネルの縦枠材４を挿通してビス１３を横枠材５に打ち込んで固着する。縦補助材１０を介して他の壁パネルが壁パネル２１に連結されて固着される。これにより、壁パネル２１の幅方向中間部に他の壁パネルがＴ字形に取り付けられた組立構造となる。
【００２４】
これらの壁パネル２１と他の壁パネルとの組立は、上記した実施例１と同様に、縦補助材１０を取り付けた壁パネル２１を床７に設けられたライナー８の位置で立て、位置合わせをし、壁パネル２１に直角に他の壁パネルを配置し、縦補助材１０に他の壁パネルの縦枠材４を対向させて配置し、ビスを縦枠材４を挿通して縦補助材１０に打ち込み、壁パネル１と壁パネルとを縦補助材１０を介して連結する。これにより、既存の壁パネル１の巾内で、これに直交して他の壁パネルが固定されて間仕切りされる。
【００２５】
上記したように、本発明によれば、壁パネルの片面又は両面の外面に、壁パネルの上下部の横枠材に縦補助材を固定し、縦補助材に前記他方の壁パネルを固定するので、両面石膏ボード貼りの壁パネルに、壁パネル同士の継ぎ目ではく、一枚の壁パネルの幅内に、直角に他方の壁パネルを固定できる。そのため、両面石膏ボード貼りの壁パネルを使用することができ、設計の簡便化を実現することができ、さらに壁パネルの両面化率の向上を図ることができる。また、縦補助材に枠材と同一品質の木質材等を使用することで、乾燥状態の相違に起因する反りや継ぎ目部分での裂け、すじ見え等の不具合のない取付を行うことができる。
【００２６】
また、壁パネル内に、合板、桟等の下地がある場合には、下地においても固定すると、一層固定強度を向上させることができる。又、下地は他の機能部材を取り付ける場合にも利用できるので、他の用途部にも使用することができる。例えば、下地の位置を変わったものを用意し、手摺り設置用に使用することができるようにすると共に、仕切り用に使用できるようにしてもよい。
【００２７】
なお、本発明は上記実施例に限られるものではないことは勿論である。例えば、上記において、石膏ボード貼りの壁パネルの例で説明したが、壁パネルは石膏ボード貼りのものに限られず、枠体に化粧板等が貼り付けられて形成されたものにも適用できる。また、縦補助材の壁パネルへの固定をビスとアンカーボルトでする例で説明したが、ビスを用いる代わりに、ボルト止め等の他の固定方法で取り付けるようにしてもよい。
【図面の簡単な説明】
【００２８】
【図１】本発明の１実施例における間仕切り壁パネルの取付構造の一部の斜視図である。
【図２】間仕切り壁パネルの取付構造の他の実施例を示す一部の斜視図である。
【図３】アンカーボルトによる固定状態を示す断面図である。
【図４】従来の間仕切り壁パネルの取付構造の一例の断面図である。
【図５】従来の間仕切り壁パネルの取付構造の他の例の断面図である。
【符号の説明】
【００２９】
１，１ａ，２１    壁パネル
２    枠体
３    石膏ボード
４    縦枠材
５    横枠材
６
１０    縦補助材
２０，２２      下地
【図１】
2006265975.tif 000003
【図２】
2006265975.tif 000004
【図３】
2006265975.tif 000005
【図４】
2006265975.tif 000006
【図５】
2006265975.tif 000007